(57)【要約】  傘の骨組の親骨に取り付けるための露先要素は、１対の翼状部材と、任意選択により、傘親骨に取り付けるための取付部とを備える。翼状部材は少なくとも、傘骨組に取り付けられる傘布の外側周縁を画定し、一方の翼状部材は傘親骨に関して旋回可能に取り付けてもよい。翼状部材、または翼状部材の少なくとも一方は、一体蝶番またはその他の蝶番によって取付部に枢着することができる。あるいは、翼状部材は、傘親骨の周囲で直接旋回することができる。【選択図】図８
2013505744.tif 000002
【特許請求の範囲】
【請求項１】
傘骨組の親骨に取り付けるための露先要素において、前記露先要素は１対の翼状部材を備え、前記翼状部材は、前記傘骨組に取り付けられる傘布の周縁の一部を画定する外側周縁を有し、
一方の翼状部材が、前記傘親骨に関して旋回または屈曲運動するように取り付けられていることを特徴とする露先要素。
【請求項２】
請求項１に記載の露先要素において、
前記一方の翼状部材が、円形親骨に取り付けて、前記親骨と前記もう一方の翼状部材に関して旋回運動するための穴を有することを特徴とする露先要素。
【請求項３】
請求項２に記載の露先要素において、
前記親骨に取り付けるための取付部を有し、前記もう一方の翼状部材が前記取付部に取り付けられることを特徴とする露先要素。
【請求項４】
請求項１に記載の露先要素において、
両方の翼状部材が、前記傘親骨に関して旋回運動するように取り付けられることを特徴とする露先要素。
【請求項５】
請求項４に記載の露先要素において、
両方の翼状部材が、円形親骨に取り付けるための穴を有することを特徴とする露先要素。
【請求項６】
請求項５に記載の露先要素において、
前記一方の翼状部材が、整合する穴を含む第一と第二の離間された取付部を有し、前記もう一方の翼状部材が、前記第一と第二の取付部の間に適合させるための、穴との取付部を有することを特徴とする露先要素。
【請求項７】
請求項６に記載の露先要素において、
前記第一の取付部が盲穴を有することを特徴とする露先要素。
【請求項８】
請求項１乃至７の何れか１項に記載の露先要素において、
各翼状部材の前記外側周縁は湾曲していることを特徴とする露先要素。
【請求項９】
請求項８に記載の露先要素において、
前記外側周縁または各露先要素の曲率半径が、前記傘布の半径を示す前記傘親骨の長さに対応することを特徴とする露先要素。
【請求項１０】
請求項１に記載の露先要素において、
傘親骨に取り付けるための取付部を有し、
前記露先要素がプラスチック材料で一体的に成形され、前記一方の翼状部材が前記取付部に一体蝶番によって枢着されることを特徴とする露先要素。
【請求項１１】
請求項１０に記載の露先要素において、
前記１対の翼状部材の前記もう一方の翼状部材が前記取付部に一体蝶番によって枢着されることを特徴とする露先要素。
【請求項１２】
請求項１０に記載の露先要素において、
前記取付部が軸を有し、前記露先要素が前記軸に関して略対称であることを特徴とする露先要素。
【請求項１３】
傘親骨に取り付けるための露先要素において、前記露先要素はプラスチック材料で一体的に成形され、傘親骨に取り付けるための取付部と、前記取付部から延びる１対の翼状部材と、を備え、
前記翼状部材の少なくとも一方が前記取付部に一体蝶番で枢着されることを特徴とする露先要素。
【請求項１４】
請求項１４に記載の露先要素において、
前記翼状部材は、厚さにおいて、前記取付部から遠ざかるにつれてテーパが付けられており、前記取付部から離間された、前記翼状部材の少なくとも先端部分は十分に柔軟であり、前記翼状部材が傘中棒の周囲を少なくとも部分的に包み込むことができることを特徴とする露先要素。
【請求項１５】
中棒と、１端において前記中棒の上端に枢着された複数の親骨と、前記中棒に取り付けられるロクロを含む、開いた位置と閉じた位置の間で前記親骨を移動させるための、各親骨の端に取り付けられる支持機構と、請求項１乃至１４の何れかに記載の露先要素と、前記親骨に取り付けられる傘布と、を備えることを特徴とする傘。
【請求項１６】
請求項１５に記載の傘において、
前記傘布が、各親骨について、対応する前記露先要素を少なくとも部分的に包囲する延長部を含むことを特徴とする傘。
【請求項１７】
請求項１６に記載の傘において、
前記延長部が前記傘布に、個別の縫い付け位置で連結されることを特徴とする傘。
【請求項１８】
請求項１５、１６または１７に記載の傘において、
前記傘布が、前記傘骨組の前記親骨に対応する線に沿って相互に取り付けられる複数の傘布片を含み、
各延長部は、２つの隣接する傘布片の２つの延長片を含むことを特徴とする傘。
【請求項１９】
請求項１８に記載の傘において、
前記２つの隣接する傘布片の前記２つの延長片が相互に取り付けられて、露先要素を包囲するためのポケットを形成することを特徴とする傘。
【請求項２０】
請求項１８に記載の傘において、
前記２つの延長片が、それぞれの前記傘布片に取り付けられ、相互に分離され、各延長片が、対応する露先要素の一方の翼状部材を包囲することを特徴とする傘。
【請求項２１】
請求項１５、１６または１７に記載の傘において、
前記傘布が、前記傘骨組の前記親骨に対応する線に沿って相互に取り付けられる複数の傘布片を含み、
各延長部は、それぞれの前記傘布片に取り付けらけれる単独の延長片を含むことを特徴とする傘。
【請求項２２】
傘骨組の親骨に取り付けるための露先要素において、前記露先要素は、前記傘親骨に取り付けるための取付部と、前記取付部から延びる１対の翼状部材と、を有し、前記翼状部材は前記傘骨組に取り付けられる傘布の周縁の一部を画定する外側周縁を有し、
一方の翼状部材が、蝶番ピンを有する蝶番によって、前記取付部に関して旋回運動するように取り付けられることを特徴とする露先要素。
【請求項２３】
請求項２２に記載の露先要素において、
前記取付部は、傘親骨の周囲で旋回運動するようになされていることを特徴とする露先要素。
【請求項２４】
請求項２２に記載の露先において、
前記もう一方の翼状部材が、蝶番ピンを含む蝶番の周囲で、前記取付部に関して旋回運動するように取り付けられることを特徴とする露先。
【請求項２５】
請求項２２、２３または２４の何れか１項に記載の露先において、
前記翼状部材が、前記翼状部材が概して同一平面内にある伸ばした位置と、前記翼状部材が相互に接触する折り畳んだ位置との間で移動できることを特徴とする露先。
【請求項２６】
中棒と、１端において前記中棒の上端に枢着された複数の親骨と、前記中棒に取り付けられるロクロを含む、開いた位置と閉じた位置の間で前記親骨を移動させるための、各親骨の端に取り付けられる支持機構と、取付部と１対の翼状部材を備える露先要素であって、前記翼状部材が十分に柔軟であり、前記傘が閉じた状態にあるときに前記翼状部材が前記中棒を包み込むことができるような露先要素と、前記親骨に取り付けられる傘布と、を備えることを特徴とする傘。
【請求項２７】
中棒と、１端において前記中棒の上端に枢着された複数の親骨と、前記中棒に取り付けられるロクロを含む、開いた位置と閉じた位置の間で前記親骨を移動させるための、各親骨の端に取り付けられる支持機構と、取付部と１対の翼状部材を備える露先要素であって、前記翼状部材が、前記傘が閉じた状態にあるときに前記中棒を包み込むようになされているような露先要素と、前記親骨に取り付けられる傘布と、を備える傘において、
前記傘布と前記露先要素が、相互に溶接できるような材料を含み、前記傘布が前記露先要素に溶接されて、前記傘布を前記露先要素に固定することを特徴とする傘。
【請求項２８】
請求項２７に記載の傘において、
前記露先要素と前記傘布は、プラスチック材料で作られることを特徴とする傘。
【請求項２９】
請求項２８に記載の傘において、
前記傘布は、少なくとも部分的に透明である材料で作られ、それによって前記露先要素が前記傘布を通じて見えることを特徴とする傘。
【請求項３０】
請求項２９に記載の傘において、
前記露先要素に、視覚的に魅力的な形状が与えられることを特徴とする傘。
【請求項３１】
請求項３０に記載の傘において、
前記露先要素が、概して半円形、円形およびハート形のうちの１つの形状を有することを特徴とする傘。
【請求項３２】
請求項３０に記載の傘において、
前記露先要素が、自然界で見られる特徴を模倣した形状を有することを特徴とする傘。
【請求項３３】
請求項３２に記載の傘において、
前記露先要素が、蝶、テントウムシおよびクローバの葉のうちの１つの形状を有することを特徴とする傘。
【請求項３４】
請求項２７乃至３４の何れか１項に記載の傘において、
前記露先要素が、中実または不透明の外観の少なくとも１部分と、少なくとも部分的に透明な少なくとも一部分と、を有することを特徴とする傘。
【請求項３５】
請求項２７乃至３４の何れか１項に記載の傘において、
前記傘布が前記露先要素の前記露先要素周縁付近に溶接されていることを特徴とする傘。
【請求項３６】
傘に取り付けるための露先要素において、前記露先要素は、主要部と、開いた位置と閉じた位置との間で移動するために前記主要部に枢着された１対の相補部と、を備え、前記相補部が、前記傘の傘布の周縁を前記主要および相補部の間に挟んだ状態で前記主要部に取り付けられることを特徴とする露先要素。
【請求項３７】
請求項３６に記載の露先要素において、
前記主要部が基底部を有し、前記相補部が上部を有することを特徴とする露先要素。
【請求項３８】
請求項３６に記載の露先要素において、
前記主要部が上部を有し、前記相補部が下部を有することを特徴とする露先要素。
【請求項３９】
請求項３６、３７または３８に記載の露先要素において、
前記主要および相補部が一体蝶番によって結合され、前記露先要素がプラスチック材料で形成されることを特徴とする露先要素。
【請求項４０】
請求項３６乃至３９の何れか１項に記載の露先要素において、
前記主要および相補部が相補的固定要素を有することを特徴とする露先要素。
【請求項４１】
請求項４０に記載の露先要素において、
前記相補的固定要素が、前記傘の前記傘布と係合する穴と突起を含むことを特徴とする露先要素。
【請求項４２】
請求項３６乃至４１の何れか１項に記載の露先要素において、
前記主要部が中央部と、前記中央部を前記主要部の側方要素に連結する一体蝶番を有し、前記相補的部分が前記側方要素に取り付けられることを特徴とする露先要素。
【請求項４３】
請求項４２の何れか１項に記載の露先要素において、
前記中央部は、傘の親骨の端と係合するための中央部であることを特徴とする露先要素。
【発明の詳細な説明】
【技術分野】
【０００１】
本発明は、傘および、傘骨組に使用するための露先要素に関する。
【背景技術】
【０００２】
以下の各段落は、その中で論じられている何れかの事柄が先行技術であるか当業者の知見に含まれることを認めるものではない。
【０００３】
多種多様な傘の設計が知られている。これらは、使用者を雨および／または風から保護するために使用される。従来の傘は、剛性の中棒と、中棒の最上部に取り付けられた複数の親骨またはスポークを有する。受骨または連結支骨によって、親骨またはスポークが中棒の上の下ロクロに連結される。傘の骨組はそれゆえ、開状態と閉状態の間で移動可能であるが、各親骨またはスポークの長さは一定で、通常、一体構造である。
【０００４】
他の傘設計は、小型または折り畳み式および、時には折り曲げ式として説明される。これらは、相互に枢着された２つまたはそれ以上の親骨要素を有する親骨を有し、通常、中棒は順次はめ込まれる２つまたはそれ以上の要素を有し、それによって、折り曲げた、または折り畳んだ時に、傘はより小さく、より小型となる。
【０００５】
このようなすべての周知の傘設計の場合、親骨の端は、傘布の周辺に概して垂直であり、露出している。親骨に丸みが付けられているか、またはそれ以外で保護要素が設けられていたとしても、これらは依然として、他人にとって迷惑となりえ、また人の目にとって危険となりうる。
【０００６】
Ｐｅｔｅｒ  Ｗｉｌｋの米国特許第５，３９４，８９６号明細書および第５，３０５，７７１号明細書は、親骨の端が内側に湾曲した要素によって相互に連結された傘用骨組を開示しており、これは傘布から突出する親骨の露先の問題を解消しようとしたものである。しかしながら、この特許は、折り曲げた、または折り畳んだ状態で、親骨の有効半径が開いた状態の有効半径より大きくなる点を認識していない。この提案には、骨組の何れかの点に取り付けられた傘布の周縁または周辺がない。
【０００７】
より最近の提案は、国際出願公開第２００５／０４８７６５号パンフレット（Ｂｒｅｂｎｅｒ）において開示されている。これが提供する構成は複雑であり、親骨が、管の中で摺動するロッドを有し、それによって親骨の端にある拡張用構成要素に力が加えられる。
【０００８】
非対称の傘の例は、国際出願公開第２００６／１３２５２５号パンフレット（Ｓｅｎｚ  Ｔｅｃｈｎｏｌｏｇｉｅｓ  Ｂ．Ｖ．）において開示されている。本明細書で開示されるすべての特許と出願公開の全内容を、引用によって本願に援用する。
【０００９】
序論
以下の序論は、読者を本明細書に導入する部分であり、いかなる発明も定義しない。１つまたはそれ以上の発明は、以下または本明細書のその他の部分で述べられている装置要素または方法ステップの結合または副結合の中にあるかもしれない。本発明者は、本明細書において開示されている何れかの発明または複数の発明に対するその権利を、単にかかるその他の発明を特許請求の範囲に記載しないからといって、放棄または否認しない。
【図面の簡単な説明】
【００１０】
本発明をよりよく理解し、それがどのように実行されるかをより明確に示すために、ここで、例として、添付の図面を参照するが、これらの図面は、例として、本発明を示している。
【００１１】
【図１】図１は、本発明による傘の第一の実施形態の斜視図である。
【図２】図２Ａは、図１の傘の一部を拡大した斜視図である。図２Ｂは、図２Ａに示される傘の一部の切欠き図である。
【図３】図３は、本発明による露先要素の斜視図である。
【図４】図４は、図３の露先要素の、一方の端から見た端面図である。
【図５】図５は、図３の露先要素の上面図である。
【図６】図６は、図３の露先要素の、もう一方の端から見た端面図である。
【図７】図７は、図３の露先要素の切断側面図である。
【図８】図８は、図３〜図７の露先要素の斜視図であり、傘親骨に取り付ける様子を示す。
【図９】図９は、露先要素の斜視図であり、露先要素の翼状部材が旋回する様子を示す。
【図１０】図１０は、傘骨組の、本発明による露先要素を含む部分の側面図である。
【図１１】図１１は、図１０と同様の図であり、傘骨組を途中まで閉じた状態を示す。
【図１２】図１２は、図１０および図１１と同様の図であり、傘骨組を閉じた状態を示す。
【図１３】図１３は、傘骨組の一部の斜視図であり、閉じた状態の露先要素の動作を示す。
【図１４】図１４は、露先要素の第二の実施形態の斜視図である。
【図１５】図１５は、露先要素の第二の実施形態の上面図である。
【図１６】図１６は、露先要素の第二の実施形態の側面図である。
【図１７】図１７は、露先要素の第二の実施形態の端面図であり、１つの翼状部材を旋回させて、折り畳んだ位置にする様子を示している。
【図１８】図１８は、露先要素の第二の実施形態の、伸ばした状態での端面図である。
【図１９】図１９は、露先要素の第二の実施形態の、図１７と同様の端面図であり、傘布の一部を示している。
【図２０】図２０は、露先要素の第二の実施形態を下から見た図である。
【図２１】図２１は、閉じた位置で示される、傘の、第二の実施形態の露先要素を含む一部分の横断図である。
【図２２】図２２は、露先要素の第三の実施形態の上面図である。
【図２３】図２３は、露先要素の第三の実施形態の端面図であり、その翼状部材が旋回する様子を示す。
【図２４】図２４は、露先要素の第三の実施形態の、伸ばした状態での端面図である。
【図２５】図２５は、露先要素の第三の実施形態を下から見た図である。
【図２６】図２６は、閉じた位置で示される、傘の、第三の実施形態の露先要素を含む一部分の横断図である。
【図２７】図２７は、露先要素の第四の実施形態の上面図である
【図２８】図２８は、露先要素の第四の実施形態の端面図であり、その翼状部材が旋回する様子を示す。
【図２９】図２９は、露先要素の第四の実施形態の、伸ばした状態での端面図である。
【図３０】図３０は、露先要素の第四の実施形態を下から見た図である。
【図３１】図３１は、図２７と同様の平面図であり、傘布の一部と共に第四の露先要素を示す。
【図３２】図３２は、図２９と同様の端面図であり、図３１に示されるような第四の露先要素と傘布の一部を示す。
【図３３】図３３は、閉じた位置で示される、傘の、第四の実施形態の露先要素を含む一部分の横断図である。
【図３４】図３４は、非対称の傘の平面図であり、本発明の第五の実施形態による露先要素を含む。
【図３５】図３５は、図３４の非対称の傘で使用するための非対称の露先要素の第五の実施形態の平面図である。
【図３６】図３６は、傘の一部の平面図であり、露先要素の第六の実施形態を示す。
【図３７】図３７Ａは、図３６の傘の親骨に沿った図である。図３７Ｂは、拡大した図３７Ａと同様の図である。
【図３８】図３８Ａは、図３６と同様の図であり、露先要素の第六の実施形態の変形を示す。図３８Ｂは、図３６と同様の図であり、露先要素の第六の実施形態の変形を示す。図３８Ｃは、図３６と同様の図であり、露先要素の第六の実施形態の変形を示す。
【図３９】図３９Ａは、図３６と同様の図であり、露先要素の第六の実施形態の変形を示す。図３９Ｂは、図３６と同様の図であり、露先要素の第六の実施形態の変形を示す。図３９Ｃは、図３６と同様の図であり、露先要素の第六の実施形態の変形を示す。
【図４０】図４０は、図３６と同様の図であり、露先要素の第七の実施形態の変形を示す。
【図４１】図４１は、図４０の露先要素の第七の実施形態の斜視図であり、取り付け方法を示す。
【図４２】図４２は、図４０の露先要素の第七の実施形態の斜視図であり、取り付け方法を示す。
【図４３】図４３は、図４０の露先要素の第七の実施形態の斜視図であり、取り付け方法を示す。
【図４４】図４４は、図４３の線４４−４４に沿った断面図であり、図４０〜図４３の第七の実施形態の詳細部を示す。
【発明を実施するための形態】
【００１２】
以下に、特許請求の範囲に記載されている各発明の実施形態の例を挙げるために、各種の装置または方法を説明する。以下に説明する実施形態はいずれも、特許請求の範囲に記載されているいずれの発明も限定せず、また特許請求の範囲に記載されているいずれの発明も、以下に説明されていない装置や方法を含む可能性がある。特許請求の範囲に記載されている発明は、以下に説明される何れか１つの装置または方法の特徴の全部を有する装置または方法または、以下に説明される装置のいくつかまたは全部に共通する特徴に限定されない。以下に説明される装置または方法が、特許請求の範囲に記載されている何れかの発明の実施形態ではないこともありうる。出願人、発明者および所有者は、以下に説明される装置または方法の中で開示されているが、本書類の特許請求の範囲に記載されていないあらゆる発明におけるすべての権利を留保し、かかる発明の何れかを、本明細書の中で開示することによって、放棄し、否認し、または公衆に献納することはない。
【００１３】
特許請求の範囲を含め、本明細書においては、簡潔さを期して「傘」という用語が使用されているが、当然のことながら、この用語は、開いた位置と閉じた位置の間で移動可能な骨組を有し、雨、日光（その場合は、たとえば日傘）、風およびその他の気象要素の１つまたはそれ以上から保護するための傘布を有する、あらゆる器具をカバーする。「傘」は、携帯用の傘、パティオおよびビーチパラソルおよび、子供用キャリッジや乳母車等、各種の物品に取り付けてこれを保護するため、およびゴルフバッグに取り付けて、ゴルフクラブや関連する道具を保護するための傘を含む。
【００１４】
傘そのものと傘の個々の構成要素はどちらも、開いた位置と閉じた位置の間で移動可能であってもよい。傘そのものに関して、「開いた位置」と「閉じた位置」という用語が使用される。傘が個々に２つまたはそれ以上の親骨要素を有する親骨を有する場合、すなわち、親骨が折り畳み式親骨である場合、親骨の異なる状態は、「伸ばした位置」と「折り畳んだ位置」として指し示され、このような傘を「折り畳み」傘と呼ぶ。「伸ばした位置」と「折り畳んだ位置」という用語もまた、本発明の露先要素の異なる位置を説明するために使用される。
【００１５】
ここで、図１〜図１３を参照すると、本発明の露先要素の第一の実施形態が示されており、これは参照番号４０で指示される。この第一の実施形態は、折り畳み傘に適用されているように示されているが、当然のことながら、本発明は、一体型および折り畳めない親骨を有する傘にも同様に適用可能である。傘は、概して参照番号６０で示され、骨組６２を有し、中棒６４を含み、親骨６６が中棒６４の上端に枢着されている。
【００１６】
傘は、第二のロクロ７０からばね７２によって離間された第一のロクロ６８を有し、ばね７２は比較的強力で、傘６０を開くために使用される。親骨６６は、第二のロクロ７０に枢着された内側親骨要素７４を有する。作動リンク７６が、第一のロクロ６８と内側親骨要素７４に枢着されている。図１０、図１１および図１２を比較すると、傘６０が閉じた位置（図１２）から開いた位置（図１０）に移動すると、ばね７２が伸張できることがわかる。この伸張により、傘が閉じた位置から開いた位置へと駆動される。
【００１７】
各内側親骨要素７４は第一の連結支骨７８に枢着され、その他端は中棒６４の最上部の要素８４に枢着されている。外側親骨要素８０は、その外側親骨要素８０の内端から離れた位置で、それぞれの内側親骨要素７４に枢着される。各外側親骨要素８０の内端は第二の連結支骨８２に枢着され、その他端は、図のように、第一の連結支骨７８に枢着されている。
【００１８】
図１０、図１１および図１２が示しているように、ばね７２は伸張して、ロクロ６８、７０を相互に離れるように駆動する。作動リンク７６は、内側親骨要素７４を中棒６４に近い位置（図１２）から、伸びて開いた位置（図１０）へと引き下げる。内側親骨要素７４は、伸びて開いた位置へと移動する際、第一の接続連結支骨７８の端を中棒６４から離れるように移動させて、第二のロクロ７０を中棒６４の最上部に向かって有効に引き上げ、周知のように、中棒６４の最上部には要素８４があり、そこに第一の連結支骨７８が枢着される。
【００１９】
内側親骨要素７４と第一の連結支骨７８が、図１０に示されるような伸ばした位置に向かって移動すると、第二の連結支骨８２によって外側親骨要素８０は旋回して、外側に伸びる。
【００２０】
第二のロクロ７０の最上部と最上部要素８４の間には、ばね定数の比較的低い第二のばね８６がある。これは、第二のロクロが図１０の伸ばした位置に移動する際のその緩衝動作に役立つ。
【００２１】
従来、このような折り曲げ式、または折り畳み式の傘のための傘布またはカバー９０は、傘骨組６２の、要素に取り付けられて、傘布９０を所望の位置に保持し、整然と折り畳むのを支援する要素に取り付けられる。それゆえ、傘布９０は、外側親骨要素８０に沿った様々な位置９４で親骨６６に取り付けられてもよい。さらに、９２で示されているように、各親骨６６のための連結リンク（これはしばしば、ある長さの糸等である）が、第一の連結支骨７８と第二の連結支骨８２との枢着部付近と傘布９０の間に取り付けられている。このような連結部材は、本発明による露先要素が設けられた傘と使用できる。
【００２２】
露先要素４０の詳細に移り、図３〜図９は１つの露先要素４０の詳細を示している。この露先要素４０は、第一と第二の翼状部材４２ａと４２ｂを有し、これらは同様の構成であり、親骨６６の１つに枢着される。翼状部材４２ａは、翼状部材４２ａを親骨６６に枢着させるための２つの取付部４４と４６を有し、これに対応して、翼状部材４２ｂは取付部４８を有する。取付部４６、４８は、図７において最もよくわかるように円筒状の穴を有し、図７はまた、取付部４４がそれぞれの親骨６６の端を受けるための盲穴を有することを示している。
【００２３】
図には示されていないが、翼状部材４２ａ、４２ｂの一方は、それぞれの親骨６６の端に露先要素４０を保持するための手段を有していてもよい。あるいは、各露先要素４０は内側構成要素を有していてもよく、これはそれぞれの親骨６６の端に固定され、その上に翼状部材４２ａ、４２ｂが枢着される。
【００２４】
翼状部材４２ａ、４２ｂは、多様な形状を有していてもよく、他の形状は、本発明の他の実施形態に関して示される。翼状部材４２ａ、４２ｂは、図のように、傘６０の外側周縁面を形成する周縁面５０を有する。また、翼状部材４２ａ、４２ｂはまた、内側周縁面５２と丸みを付けられた先端５４を有し、これらは、傘６０の傘布の形状に直接影響を与えず、したがって、形はさまざまであってもよい。
【００２５】
翼状部材４２ａ、４２ｂを折り畳んで、翼状部材４２ａ、４２ｂが相互に接触する位置にすることができるようにするために、翼状部材４２ａ、４２ｂは、ドア等の従来の蝶番のように、枢軸または蝶番軸５８の平面内にある上面５６を有していてもよい。あるいは、翼状部材４２ａ、４２ｂは、共通の取付部への別々の旋回連結手段を有してもよく、それぞれが約９０度回転して、翼状部材を対面位置へと旋回させることができる。翼状部材４２ａ、４２ｂは、柔軟な材料で形成することによって、必要に応じてこれらを折り畳み、曲げられるようにすることができ、これは後の実施形態に関して示す。
【００２６】
従来の傘の設計では、傘布９０は、通常、親骨６６の端に開口部を設け、単純に傘布９０を親骨６６の端に縫い留めることによって、親骨６６に取り付けられる。傘布９０は、別々の布片９６を含み、それぞれの周縁９８に沿って相互に縫い付けられる（図１）。布片９６の、傘布９０の外側周縁を形成する外側周縁は、９１で示されるように縫い綴じられる。
【００２７】
この実施形態において、傘布９０を親骨６６に固定するために、傘布９０には延長部が設けられ、これが露先要素４０を包み込み、包囲する。この目的のために、各傘布片９６は、延長片１００を有する。図２ａに示されるように、各親骨６６において、延長片１００は、９８ａで示される周縁に沿って相互に縫い付けられ、縫い付けられた周縁延長部９８となる。各親骨６６のための延長片９６の組み合わせペアは、再び２ａ図で最もよくわかるように、概して台形の形状である。１０２で示されるように、別の縫い付け部によって、それぞれの露先要素４４を包囲するように、延長片１００をこれに対応する傘布片９６に固定する。このような構成は、露先要素４０のためのポケットとなり（図２ｂ）、これによっては、露先要素４０が十分に動いて、傘６０を開いた位置と閉じた位置の間で容易に移動できることにもなる。
【００２８】
傘布片９６の延長としての延長片１００を設ける代わりに、別の、単独の延長片を各親骨６６に取り付けてもよく、これは傘布９０の周縁に縫い付けられ、別の縫い付け部１０２で露先要素４０を包囲するポケットを形成する。また、図３１と図３２に示されるように、縫い付け部９８ａを省略することができ、延長片を分離しておくことができ、離間させて、傘を折り畳む際の余裕としてもよい。
【００２９】
使用時には、傘６０を開いた位置において、露先要素４０は、図１〜図８に示されるように、伸張して翼状部材４２ａ、４２ｂが略同一平面となる。図９と図１３に特に示されているように、露先要素４０の翼状部材４２ａ、４２ｂは、概して相互に対面し、または当接するまで折り畳むことができ、傘布９０の一部がこれらの間に挟まれる。これは、他の実施形態に関して、以下でさらに説明する。前述のように、翼状部材４２ａ、４２ｂの間の１８０度の全開移動を可能にするには、図のように、翼状部材にいくつかの以下の特徴または変更が必要となるかもしれない。
【００３０】
さらに、露先要素４０の翼状部材４２は比較的厚く示されているが、より薄くしても、または丸みを付けられた先端５４に向かってテーパが付けられていてもよい。これに加えて、翼状部材４２は、プラスチック材料で成形してもよい。翼状部材４２の材料と厚さを適当に選択することによって、露先要素４０は、傘布９０の周縁を支持するのに十分な硬さであると同時に、閉じた位置において、これらが傘中棒６４を包むのに十分な柔軟性を有するようにすることができる。これについては、他の実施形態に関して、以下により詳しく説明する。
【００３１】
次に、図１４〜図２１を参照すると、本発明の第二の実施形態が示されている。ここで、露先要素は概して１２０で示されており、プラスチック材料で一体成形されて一体の部品とされる。
【００３２】
露先要素１２０は、中央取付部１２２を有する。中央取付部１２２から、第一の翼状部材１２４が延びる。中央取付部１２２の反対側には、一体蝶番１２８によって取付部１２２に連結された第二の翼状部材１２６がある。中央取付部には、親骨６６に取り付けるための盲穴１３８がある。
【００３３】
翼状部材１２４、１２６は周縁１３０、１３２を有し、これは傘布９０の外側周縁を画定する。１３４に示されているように、翼状部材１２４、１２６と取付部１２２は内側周縁となり、その正確な形状は重要ではない。翼状部材１２４、１２６は、傘布の周縁を適正に支持するのに十分な幅であってもよい。
【００３４】
外側周縁１３０、１３２は概して弓型であり、半径は一定の場合と変化する場合がある。半径が変化する場合、親骨６６の長さが傘布９０の半径を示すため、親骨６６に近い半径は親骨６６の長さに対応させることができ、また、当然のことながら、従来の傘布９０の周縁は完全な円ではなく、通常、それぞれ隣接する２つの親骨６６の間の周縁は内側に湾曲しているか、内側に入り込んでいる。それゆえ、傘布９０は通常、完全な円ではなく、それゆえその半径は精密ではなく、親骨６６の半径は、概して傘布９０の平均半径を示す。外側周縁１３０、１３２の半径はすると、親骨６６から離れるにつれて減少してもよく、それによってこれらの周縁は傘布９０の周縁９１から若干逸れる。周縁１３０、１３２の半径が一定の場合、これは、各親骨６６の長さであってもよく、または各親骨の長さより短くてもよい。
【００３５】
１３６に示されているように、両方の翼状部材１２４、１２６は、取付部１２２から離れるにつれてテーパが付いている。以下に詳細に説明するように、これによって翼状部１２４、１２６は十分に柔軟となり、折り畳まれた位置で、中棒６４をある程度包み込むことができる。
【００３６】
図１７は、各露先要素１２２が伸ばした位置（図１４、図１５、図１８、図２０）から折り畳んだ位置に移動するときの、一体蝶番１２８の動作を示している。第二の翼状部材１２６は、一体蝶番１２８の軸の周囲で回転し、最終的に第一の翼状部材１２４に接近し、または当接する。図１９に示されているように、傘布９０の一部は翼状部材１２４、１２６の間に挟まれる。
【００３７】
露先要素１２０は、第一の実施形態に関して詳細に説明した方法か、後の実施形態に関して以下に詳細に説明する方法の何れかによって、傘布９０に取り付けることができる。
【００３８】
図２１は、第二の実施形態の露先要素１２０の挙動を概略的に示す。閉じた位置において、親骨６６は中棒６４に近づき、概してこれと整列する。露先要素１２０の寸法は、折り畳んだ状態において、露先要素１２０が相互に重なり合い、傘布９０の折り畳まれた部分は、周知のように、中棒６４の周囲に巻きつくような寸法であってもよい。図２１に示されているように、露先要素１２０、特にその先端に十分な柔軟性を持たせることによって、これらが次々に包み込むようにすることができる。
【００３９】
ここで、図２２〜図２６を参照すると、本発明の第三の実施形態が示されており、これは概して参照番号１４０で示される。第二の実施形態と同様に、この第三の実施形態は、一体部品としてプラスチックで一体成形されることが意図される。
【００４０】
ここで、各露先要素１４０は、取付部１４２を有し、そこから第一と第二の翼状部材１４４、１４６が延びている。翼状部材１４４、１４６はどちらも、一体蝶番１４８によって取付部１４２に連結される。翼状部材１４４、１４６は、傘布９０の周縁を画定する周縁１５０を有する。取付部１４２は、親骨６６の端に取り付けるための盲穴１５８を有する。第一と第二の実施形態と同様に、取付部１４２と翼状部材１４４、１４６は内側周縁１５４を有し、その正確な形状は傘布の形状に影響を与えない。周縁１５４の形状は、露先要素１４０に求められる特徴によって決定してもよい。
【００４１】
図２６は再び、傘を閉じた位置におけるこれらの露先要素１４０の挙動を概略的に示す。図のように、翼状部材１４４は、それぞれの一体蝶番１４８の周囲である程度屈曲してもよい。第二の実施形態に関して、第二の翼状部材１４６は、伸ばした位置から折り畳んだ位置に移動する際、略半円形の範囲で旋回する。再び、露先要素１４０の材料とその寸法を適当に選択すれば、翼状部材１４４、１４６は、図２６に示されるように、屈曲して次々に包み込むことができる。
【００４２】
ここで、図２７〜図３３を参照すると、露先要素の第四の実施形態が示されており、これは参照番号１６０で指示される。この第四の実施形態１６０には第三の実施形態１４０と多くの類似点があり、プラスチック材料から成形されること、一体部品として一体的に形成されること、２つの一体蝶番を設けること、および概して対称であることが意図される。
【００４３】
露先要素１６０は中央取付部１６２を有し、そこから第一と第二の翼状部材１６４、１６６が延びている。翼状部材１６４、１６６は、一体蝶番１６８によって中央取付部に連結される中央取付部には、各露先要素１６０を親骨６６の１つに取り付けるための盲穴１７８が設けられている。
【００４４】
翼状部材１６４、１６６の周縁１７０は、傘布９０の周縁を画定し、これは図２７において破線１７２で示される。翼状部材１６４、１６６はまた、丸みの付けられた先端１７４も有する。翼状部材１６４、１６６と中央取付部１６２は直線的な内側周縁１７６を有する。
【００４５】
特に図３１と図３２に示されるように、各露先要素１６０を包囲する完全なポケットの代わりに、傘布片９６には別の延長部１８０を設けることができ、これは、傘布の９０の下に折り畳まれ、縫い付けられていない。図３１に示されるように、各延長部１８０は、周縁１８２と１８４に沿って、それに対応する傘布片９６に縫い付け、翼状部材１６４、１６６の一方のためのポケット１８６を画定してもよい。すると、図３２に示されるように、中央取付部１６２の端は露出したままとなり、ウィング１６４、１６６を折り畳みやすくなる。
【００４６】
次に、図３３は閉じた位置での構成を示す。上記の実施形態と同様に、翼状部材１６４、１６６は次々に包み込む。傘布の一部が９０で示されている。
【００４７】
図２ａ、図２ｂに戻ると、完全なポケット１１０を設ける代わりに、縫い付けを単純化することが可能であるかもしれない。１１２で示されているように、延長片１００をその対応する傘布辺９６の、それぞれの親骨６６の付近に縫い付けるだけで十分かもしれない。さらに、延長片１００は、１１４で示されるように、傘布９０の外側周縁の付近の傘布片９６に縫い付けてもよい。延長片１００を適当な形状にすることによって、縫い付け１１４を省くことが可能かもしれない。
【００４８】
次に、図３４と図３５を参照すると、非対称の傘が示されており、これは概して国際出願公開第２００６／１３２５２５号明細書における開示に従ったものであってもよい。２００で示される非対称の傘布を見ると、ここでは２０２で示される傘布片は異なる形状を有する。露先構成に関して、親骨に対する傘布片の外側周縁の角度は２０４で示され、さまざまである。これらの角度は、α、β、γ、δで示されている。また、当然のことながら、傘布片２０２の外側周縁は内側に湾曲し、正しい角度を示していないため、図の角度はおおよそであり、より具体的には、角度が等しいという場合、おおよそにすぎないかもしれない。
【００４９】
図のように、この構成では親骨の長さは３種類であり、すなわち、２本の長い親骨２１０、中程度の長さの親骨の第一のペア２１２と中程度の長さの親骨の第二のペア２１４と、短い親骨のペア２１６である。個々の親骨をさらに区別するために、添え字ａ、ｂを用いた。
【００５０】
さまざまな親骨の端の傘布２００の角度を見ると、再び、これらの角度は単におおよその数値であると認識したうえで、異なる親骨の端についてある類似性が見られる。本発明の内容において、この種類およびその他の種類の傘の露先要素は内側に湾曲した周縁を有していてもよく、これは顕著な円弧を描いて延び、それによって、さまざまな傘布の形状に使用することができ、異なる形状の傘布が、各露先要素の円弧の長さと多かれ少なかれ係合して、これらの角度のばらつきに対応できる。
【００５１】
それゆえ、より長い親骨の一方２１０ａの端に、角度αとβがあり、これは親骨２１４ａの端に見られる角度と略一致し、したがって、これらもαとβとして示される。これに対応する、鏡像となる角度βとαが親骨２１０ｂ、２１４ｂの端に見られる。同様に、角度γとδが親骨２１２ａの端に見られ、これは親骨２１６ａの端で同様にγとδで示されている角度と略一致する。親骨２１２ｂと２１６ｂは、これらと同じ角度δとγを有し、これらは再び、親骨２１２ａと２１６ａの端のこれらの角度の鏡像である。
【００５２】
このように異なる角度を考慮すると、それによって非対称の露先要素の設置が必要となるかもしれないが、これらは必ずしも必要であるとはかぎらないことがわかる。まず、外側円周が、ある長さの円弧を有するか、すべての角度α、β、γ、δを収容するのに十分な角度にわたって延びるような露先要素を提供し、前述のように、傘布が必要に応じて長さの異なる外側周縁と係合するようにすることが可能であろう。
【００５３】
あるいは、異なる露先要素を提供する場合、角度パターンがおおよそ等しいと認識することによって、提供するべき異なる露先要素の数を減らすことができる。それゆえ、親骨２１０ａ、２１４ａのための非対称の露先要素の１つの構成、親骨２１０ｂ、２１４ｂのための別の鏡像の構成、親骨２１２ａ、２１６ａのための別の構成、そして親骨２１２ｂ、２１６ｂのための、親骨２１２ａ、２１６ａのための構成の鏡像である別の構成を提供することができる。特に、角度δとγは非常に近いことがわかり、同じとして扱うことができ、それにより、少なくとも、角度δとγを有する４つの親骨のために共通の露先要素を使用できるため、設計が単純化されるであろう。
【００５４】
次に、図３６、図３７を参照すると、本発明の第六の実施形態が示されており、これは２００で指示されている。第六の実施形態２００は親骨を有し、１つが２０２で示されている。傘布は２０４で示されており、この実施形態では、傘布２０４はプラスチック材料で形成され、これは好ましくは透明であるが、不透明でも、またはデザインが印刷されていてもよい。図には示されていないが、プラスチック製の傘布は通常、多数の別々の小片で形成され、各々が概して三角形で、親骨２０２と整列する揶揄骨を有する。別々の小片はプラスチック溶接によって接合されて、連続する、防水接合部が形成される。
【００５５】
この第六の実施形態において、各親骨２０２には露先要素２１０が取り付けられている。各露先要素２１０は取付部２１２を有し、これは１つの親骨２０２の端に、きつく、固定された状態に嵌合するような寸法である。２つの翼状部材２１４は、前述の実施形態と同様に、一体蝶番２１６によって取付部２１２に結合される。
【００５６】
傘布２０４を露先要素２１０に取り付けるために、傘布はプラスチック溶接によって溶接され、これは図３６の２２２、２２４で示されている。溶接される接合部２２２、２２４の正確なパターンは違っていてもよく、必ずしも連続的である必要はない。
【００５７】
図３６に示されているように、傘布２０４を取り付けた時に各露先要素２１０は丸みのある外側周縁２１８を提供し、また、丸みのある内側周縁２２０を提供するような形状でもある。周縁２１８、２２０はおおよそ半円形となるような形状とすることができる。
【００５８】
図３７Ｂに示されているように、傘布２０４は、翼状部材２１４が伸ばした状態にある時、翼状部材２１４と取付部２１２の上を通過する。傘を閉じると、翼状部材２１４は、図３７Ａ、Ｂの中で見た時に、下向きに旋回して折り畳んだ位置となる。したがって、溶接接合部２２２、２２４は、取付部２１０の上を通過する傘布の部分に十分な緩みを持たせて、傘布を過剰に押し付けることなく、翼状部材２１４を折り畳まれた位置へと折り畳むことができるように位置付けるべきである。
【００５９】
ここで、図３８と図３９を参照すると、露先要素の第六の実施形態の変化形が示されている。単純さと簡潔さを期し、これらの図面では、同じ要素に同じ参照番号を使い、これらの要素の説明は繰り返さない。
【００６０】
これらすべての変化形において（また、図３６と図３７の第六の実施形態において）、露先要素はプラスチックで形成され、プラスチック溶接によってプラスチック製傘布に接合される。傘布は、少なくとも部分的に透明または半透明であり、好ましくは完全に透明であり、露先要素の形状がはっきりと見えることが予想される。これらの変化形では、露先要素には、各親骨に丸みの付いた周縁を提供する機能に加えて、傘に顕著なデザイン上の特徴を追加するような形状が与えられる。これに加えて、各露先要素には所望の色を着けることができ、これは中実で均一であってもよく、あるいはそれ自体が変化して、露先要素の中にデザインが見えるようにしてもよい。たとえば、露先素を明るい、または蛍光性の赤、橙またはその他の色として、傘をより目立つようにすることができる。図３８Ｃに関して詳しく後述するように、露先要素の１つまたはそれ以上の部分は、少なくとも部分的に透明にして、よく見える形状となるようにし、傘の機能を変化させるような機能的形状とは異なるようにしてもよく、特に、傘布の周縁を柔らかくしてもよい。
【００６１】
図３８Ａでは、略円形の露先要素２３０が提供される。
【００６２】
図３８Ｂでは、概してハート形の露先要素２３２が提供される。通常はハート形の底部にあたる部分を、図のように若干丸くして、それぞれの親骨２０２のための、丸みの付けられた、柔らかい周縁２３４となるようにすることができる。
【００６３】
図３８Ｃは、第三の変化形を示しており、これもまた概してハート形の露先要素２３６を提供する。ここで、露先要素２３６は、不透明または中実（視覚的な意味で）の部分２３８と透明部分２４０を有する。これによって露先要素２３６の設計が若干複雑となるかもしれないが、確かに、固体または不透明部分２３８をより正確なハート形とすることができる。すると、透明部分２４０によって、所望の、丸みの付けられた周縁２４２が提供される。
【００６４】
第四と第五と第六の変化形はすべて、自然から取られた設計を示しており、これは、さまざまな設計を使用することができることがわかり、これには、自然、幾何学的デザイン、抽象的デザイン等からとった別のデザインが含まれる。これらのデザインはすべて、傘布の透明という性質を利用して、傘にデザイン的な特徴を付与する。
【００６５】
図３９Ａでは、露先要素２５０はテントウムシの形状を有する。図３９Ｂでは、露先要素２５２は蝶またはその他の飛べる昆虫の形状を有し、当然のことながら、多種多様な蝶の形状を使用することができる。図３９Ｃは、露先要素２５４の第六の変化形を示しており、これはクローバの葉の形状を有する。
【００６６】
次に、図４０から図４４を参照すると、露先要素の第七の実施形態が示されている。この実施形態は概して２６０で示され、露先要素そのものの第七の実施形態は２７０で示されている。１つの親骨が２６２で示され、傘布は２６４で示されている。この実施形態において、露先要素２７０は、傘が製造され、販売された後に、各使用者が傘布２６４の周縁に取り付けることが意図されている。換言すれば、これらの露先要素２７０は、個々の消費者に向けて、１本の傘のために十分な数をパッケージにして手持ちの傘に取り付けるように販売される。これらは、傘に安全上の要素を持たせ、さらにデザイン的要素を持たせることができる。後述のように、露先要素２７０の上は外から見えるため、そこには、他の図面に示されているものを含め、所望のどのようなデザインの形状、色、パターン等でも与えられることがわかるであろう。
【００６７】
各露先要素２７０は、基底部、またはより一般的には主要部２７２と、基底部に一体蝶番２７６で接合された１対の上部、またはより一般的には相補部２７４を有する。この基底部には中央部２７８があり、これは親骨２６２の端と一体蝶番２８０の周囲に適合するような溝２７８として構成してもよく、それによって、溝２７８の両側の側方要素は、溝２７８および相互に関して旋回できる。一体蝶番２７６は、相補部または上部を側方要素に結合する。いくつかの実施形態においては、一体蝶番を省略でき、その場合は露先要素の全体を十分に柔軟にして、閉じた位置において、たとえば図３３に示されるように、傘の周囲を包み込むことができるようにする。
【００６８】
図４１、図４２、図４３および図４４を参照し、傘の各露先要素２７０の取付について説明する。露先要素２７０は、図４１に示されるように開いた状態で示されている。親骨２６２の端は溝２７８の中に嵌め込まれ、傘布２６４の周縁部は基底部２７２の上に重なる。
【００６９】
すると、上部２７０を、図４２の矢印で示されるように、一体蝶番２７６の周囲で旋回させる。基底部２７２には穴２８２が設けられ、上部２７４には相補的な突起２８４がある。上部２７４が旋回して図４３と図４４に示される位置に移動すると、突起２８４は各々、それに対応する穴２８２の１つに入る。突起２８４が穴２８２と係合すると、これらは図４４に示されるように、傘布２６４の一部と係合する。穴２８２と突起２８４は、スナップフィットの方式で嵌合するような寸法であり、一般的な傘布の厚さの分の余裕が設けられる。
【００７０】
各露先要素２７４が図４３に示されるように傘布６４に取り付けられると、事実上、２つの翼状部材が形成され、これらは一体蝶番２８０によって、他の実施形態と同様に、親骨２６２と溝２７８の周囲で旋回することができる。また、当然のことながら、基底部２７２と上部２７４は逆転させてもよく、すると、上面図が示す２つの折り畳み要素は、図の上部２７４が今度は下で折り畳まれることになる。
【００７１】
これらの露先要素２７０は、希望通りに取り外し、交換できる。図４４に示される固定方法は、傘布を永久的に損傷させたり歪めたりしないようにすることができ、それによって露先要素２７０を取り外して廃棄でき、また、これらを別の形状や色の露先要素と交換できる。
【００７２】
一体蝶番を使用した各種の実施形態に関して、これらの蝶番の各々は従来の蝶番とすることができる。換言すれば、各翼状部材とその取付部に穴を設けて、蝶番ピンで連結できる。
【００７３】
本発明は一般に、たとえばスチール、アルミニウム、その他の金属、木材、グラスファイバおよび、その他の強化および無強化プラスチックで形成された親骨またはスポークを有するかもしれない、どのような種類の傘に使用してもよい。
【００７４】
各翼状部材、または１つの翼状部材のために、一体蝶番または従来の蝶番かを問わず、個別の蝶番位置を設ける代わりに、翼状部材を十分に柔軟にして、それらが図２１、図２６および図３３に示されるように、傘の中棒の周囲を包み込むことができるようにすれば十分かもしれない。
【符号の説明】
【００７５】
４０  露先要素
４２  翼状部材
４２ａ  翼状部材
４２ｂ  翼状部材
４４  （翼状部材４２ａの）取付部
４６  （翼状部材４２ａの）取付部
４８  （翼状部材４２ｂの）取付部
５０  （外側）周縁面
５２  内側周縁面
５４  （丸みの付けられた）先端
５６  上面
５８  蝶番軸
６０  傘
６２  骨組
６４  中棒
６６  親骨
６８  第一のロクロ
７０  第二のロクロ
７２  ばね
７４  内側親骨要素
７６  作動リンク
７８  第一の連結支骨
８０  外側親骨要素
８２  第二の連結支骨
８４  中棒６４の最上部の要素
８６  第二のばね
９０  傘布
９２  連結リンク
９４  外側親骨要素８０との連結部
９６  傘布片
９８  縫い付けられた周縁
１００  延長片
１０２  別の縫い付け部
１１０  ポケット
１２０  露先要素
１２２  取付部
１２４  第一の翼状部材
１２６  第二の翼状部材
１２８  一体蝶番
１３０  周縁
１３２  周縁
１３４  内側周縁
１３６  翼状部材１２４、１２６のテーパ
１３８  （盲）穴
１４０  露先要素
１４２  取付部
１４４  第一の翼状部材
１４６  第二の翼状部材
１４８  一体蝶番
１５０  周縁
１５２  （使用せず）
１５４  内側周縁
１５６  （使用せず）
１５８  （盲）穴
１６０  露先要素
１６２  中央取付部
１６４  第一の翼状部材
１６６  第二の翼状部材
１６８  一体蝶番
１７０  周縁
１７２  傘布の周縁（点描）
１７４  丸みの付けられた露先
１７６  直線的な内側周縁
１７８  （盲）穴
１８０  延長部
１８２  縫い付けられた周縁
１８４  縫い付けられた周縁
２００  第六の実施形態
２０２  親骨
２０４  傘布
２１０  （第六の実施形態の）露先要素
２１２  取付部
２１４  翼状部材
２１６  一体蝶番
２１８  露先要素の外側周縁
２２０  露先要素の内側周縁
２２２  溶接
２２４  溶接
２３０  露先要素の第六の実施形態の第一の変化形
２３２  露先要素の第六の実施形態の第二の変化形
２３４  露先要素の第六の実施形態の第二の変化形の外側周縁
２３６  露先要素の第六の実施形態の第三の変化形
２３８  第三の変化形の中実部分
２４０  第三の変化形の透明部分
２４２  丸みの付けられた周縁
２５０  露先要素の第六の実施形態の第四の変化形（テントウムシ）
２５２  露先要素の第六の実施形態の第五の変化形（蝶）
２５４  露先要素の第六の実施形態の第六の変化形（クローバの葉）
２６０  第七の実施形態
２６２  親骨
２６４  傘布
２７０  露先要素の第七の実施形態
２７２  基底部
２７４  上部
２７６  一体蝶番
２７８  溝または中央部
２８０  一体蝶番
２８２  穴
２８４  突起
【図１】
2013505744.tif 000003
【図２Ａ】
2013505744.tif 000004
【図２Ｂ】
2013505744.tif 000005
【図３】
2013505744.tif 000006
【図４】
2013505744.tif 000007
【図５】
2013505744.tif 000008
【図６】
2013505744.tif 000009
【図７】
2013505744.tif 000010
【図８】
2013505744.tif 000011
【図９】
2013505744.tif 000012
【図１０】
2013505744.tif 000013
【図１１】
2013505744.tif 000014
【図１２】
2013505744.tif 000015
【図１３】
2013505744.tif 000016
【図１４】
2013505744.tif 000017
【図１５】
2013505744.tif 000018
【図１６】
2013505744.tif 000019
【図１７】
2013505744.tif 000020
【図１８】
2013505744.tif 000021
【図１９】
2013505744.tif 000022
【図２０】
2013505744.tif 000023
【図２１】
2013505744.tif 000024
【図２２】
2013505744.tif 000025
【図２３】
2013505744.tif 000026
【図２４】
2013505744.tif 000027
【図２５】
2013505744.tif 000028
【図２６】
2013505744.tif 000029
【図２７】
2013505744.tif 000030
【図２８】
2013505744.tif 000031
【図２９】
2013505744.tif 000032
【図３０】
2013505744.tif 000033
【図３１】
2013505744.tif 000034
【図３２】
2013505744.tif 000035
【図３３】
2013505744.tif 000036
【図３４】
2013505744.tif 000037
【図３５】
2013505744.tif 000038
【図３６】
2013505744.tif 000039
【図３７Ａ】
2013505744.tif 000040
【図３７Ｂ】
2013505744.tif 000041
【図３８Ａ】
2013505744.tif 000042
【図３８Ｂ】
2013505744.tif 000043
【図３８Ｃ】
2013505744.tif 000044
【図３９Ａ】
2013505744.tif 000045
【図３９Ｂ】
2013505744.tif 000046
【図３９Ｃ】
2013505744.tif 000047
【図４０】
2013505744.tif 000048
【図４１】
2013505744.tif 000049
【図４２】
2013505744.tif 000050
【図４３】
2013505744.tif 000051
【図４４】
2013505744.tif 000052
【国際調査報告】
2013505744.tif 000053
2013505744.tif 000054
2013505744.tif 000055